(57)【特許請求の範囲】
【請求項１】
一端がクランプからなる光送受信システム本体のレセプタクルの内部に摺動されて脱着または装着されるプラガブル光送受信モジュールであって、
光送受信素子を装着するアダプタを有するハウジングフレームと、
前記ハウジングフレームの一側を中心として所定角度ほど回転可能に、一端には取手部が形成されており、他端には加圧部が形成されている回転レバーと、
前記回転レバーにより連動されて回転運動できるように、前記ハウジングフレームにピボッティングされたものであって、前記回転レバーの回転状態によって前記加圧部と接触できる一端と、これによる回転運動により前記レセプタクルのクランプから装着または脱着される他端とから形成された弾性アーム部材と、を備え、
前記弾性アーム部材の一端及び他端に形成された面は前記ハウジングフレームに接触し、前記弾性アーム部材の中央部は、台型の弾性部が上向きに折り曲げられた形態の板スプリングであり、
前記弾性アーム部材の一端に形成された上向き折り曲げ面は、前記加圧部と接触して加圧されうる位置に形成されていることを特徴とするプラガブル光送受信モジュール。
【請求項２】
前記弾性アーム部材の一端に形成された上向き折り曲げ面が前記加圧部と接触して加圧される場合に、前記弾性アーム部材の他端は、前記レセプタクルに摺動される方向に対して所定角度ほど回転運動して傾斜し、前記傾斜によって前記他端は、前記レセプタクルクランプに対して反撥力を有することを特徴とする請求項１に記載のプラガブル光送受信モジュール。
【請求項３】
前記ハウジングフレームには前記弾性アーム部材をピボッティングし、前記プラガブル光送受信モジュールが前記レセプタクルに装着される場合に、前記レセプタクル進入部に係止される固定爪が形成されていることを特徴とする請求項２に記載のプラガブル光送受信モジュール。
【請求項４】
前記弾性アーム部材は、前記回転レバーの回転方向と反対方向に回転することを特徴とする請求項１に記載のプラガブル光送受信モジュール。
【請求項５】
前記弾性アーム部材の一端に形成された面は、前記ハウジングフレームに接触し、前記弾性アーム部材の他端に形成された面は、前記ハウジングフレームに対して所定角度に傾斜し、前記弾性アーム部材の中央部は、台型の弾性部が上向きに折り曲げされた形態の板スプリングであり、
前記弾性アーム部材の一端に形成された上向き折り曲げ面は、前記加圧部と接触して加圧されうる位置に形成されていることを特徴とする請求項１に記載のプラガブル光送受信モジュール。
【請求項６】
前記弾性アーム部材の一端に形成された上向き折り曲げ面が前記加圧部と接触して加圧される場合に、前記弾性アーム部材の他端は、前記レセプタクルクランプに対して反撥力を有することを特徴とする請求項５に記載のプラガブル光送受信モジュール。
【請求項７】
前記弾性アーム部材がピボッティングされる前記ハウジングフレームの所定断面上に、前記レセプタクルのクランプと装着時に結合させる結合突起をさらに備え 、
前記レセプタクルのクランプは、前記プラガブル光送受信モジュールの装着時に前記結合突起が位置する部分に開口部が形成されていることを特徴とする請求項１に記載のプラガブル光送受信モジュール。
【請求項８】
前記ハウジングフレームは、ハウジングベースと、
前記ハウジングベースと分離可能であり、所定の光ファイバコネクタを収容して前記光送受信素子と結合させるアダプタを有する光レセプタクルと、からなることを特徴とする請求項１に記載のプラガブル光送受信モジュール。
【請求項９】
前記光レセプタクルは、シングル光ファイバコネクタを収容するシングルＬＣ光レセプタクル、デュアル光ファイバを収容するデュアルＬＣ光レセプタクル、及びＳＣ光ファイバを収容するＳＣ光レセプタクルのうち少なくともいずれか一つであることを特徴とする請求項８に記載のプラガブル光送受信モジュール。
【請求項１０】
前記光送受信システム本体の端子と結合されて、前記光送受信素子の動作を制御する駆動回路ボードをさらに備えることを特徴とする請求項１に記載のプラガブル光送受信モジュール。
【請求項１１】
前記駆動回路ボードと前記光送受信システム本体の端子との結合状態を表示する表示部材をさらに備えることを特徴とする請求項１０に記載のプラガブル光送受信モジュール。
【請求項１２】
前記表示部材は、発光ダイオードからなることを特徴とする請求項１１に記載のプラガブル光送受信モジュール。
【請求項１３】
光送受信システム本体に脱着または装着されるプラガブル光送受信モジュールであって、
光送受信素子が装着されるアダプタを有するハウジングフレームと、
前記ハウジングフレームの一側を中心として所定角度ほど回転可能に、一端には取手部が形成されており、他端には加圧部が形成されている回転レバーと、
前記回転レバーにより連動されて回転運動できるように、前記ハウジングフレームにピボッティングされたものであって、前記回転レバーの回転状態によって前記加圧部と接触できる一端と、これによる回転運動により前記レセプタクルのクランプから装着または脱着される他端とから形成された弾性アーム部材と、
前記光送受信素子の動作を制御する駆動回路ボードと、
前記光送受信システム本体の端子と前記駆動回路ボードとの結合状態を表示する表示部材と、を備え、
前記弾性アーム部材の一端及び他端に形成された面は前記ハウジングフレームに接触し、前記弾性アーム部材の中央部は、台型の弾性部が上向きに折り曲げられた形態の板スプリングであり、
前記弾性アーム部材の一端に形成された上向き折り曲げ面は、前記加圧部と接触して加圧されうる位置に形成されていることを特徴とするプラガブル光送受信モジュール。
【請求項１４】
前記表示部材は、前記光送受信システム本体の端子と前記駆動回路ボードとの結合時に発生する電源の強度によって前記結合状態を表示することを特徴とする請求項１３に記載のプラガブル光送受信モジュール。
【請求項１５】
前記表示部材は、前記光送受信素子に備えられた光送信器または光受信器から発生する動作状態信号を入力されて、これを表示する機能をさらに含むことを特徴とする 請求項１３に記載のプラガブル光送受信モジュール。
【請求項１６】
前記ハウジングフレームは、ハウジングベースと、
前記ハウジングベースと分離可能であり、所定の光ファイバコネクタを収容して前記光送受信素子と結合させるアダプタを有する光レセプタクルからなることを特徴とする請求項１３に記載のプラガブル光送受信モジュール。
【請求項１７】
前記光レセプタクルは、シングル光ファイバコネクタを収容するシングルＬＣ光レセプタクル、デュアル光ファイバを収容するデュアルＬＣ光レセプタクル、及びＳＣ光ファイバを収容するＳＣ光レセプタクルのうち少なくともいずれか一つであることを特徴とする請求項１３に記載のプラガブル光送受信モジュール。
【発明の詳細な説明】
【技術分野】
【０００１】
本発明は、光通信システムのための光送受信モジュールに係り、さらに詳細には、 光送受信システムの本体に形成されたレセプタクルに脱着または装着の可能なプラガブル光送受信モジュールに関する。
【背景技術】
【０００２】
光通信において光信号の伝送及び受信機能を同時に含む光送受信モジュールは、多様な形態に発展されてきており、最近、標準化を通じて軽薄短小の形態に規格が統一されて使用されている。
【０００３】
特に、プラガブル形態の光送受信モジュールは、関連ＭＳＡ（Ｍｕｌｔｉｓｏｕｒｃｅ  Ａｇｒｅｅｍｅｎｔ）のうち最も最新のものから提案された標準であって、一般的に２.５Ｇｂｐｓ級以下に使用されるＳＦＰ（Ｓｍａｌｌ  Ｆｏｒｍ−ｆａｃｔｏｒ  Ｐｌｕｇｇａｂｌｅ）−ＭＳＡと、１０Ｇｂｐｓ級に使用されるＸＦＰ−ＭＳＡとがある。
【０００４】
ＳＦＰ−ＭＳＡにしたがうプラガブル光送受信モジュールの場合は、主に長距離伝送網に使用されているＤｕｐｌｅｘ−ＬＣコネクタの収容可能な構造が普遍的であるが、今後、加入者網の普及と共に、単一光ファイバに両方向光送受信機能を有するプラガブル光送受信モジュールの形態でさらに多くの使用が予想される。
【０００５】
ＳＦＰ光送受信モジュールの構成について説明すれば、一端は、外部と光学的なインターフェースのための光ファイバコネクタまたはピグテール光ファイバを有し、他端は、電気的な雄−コネクタであって、光送受信システムの本体に装着されたレセプタクルと呼ばれるＥＭＩ（ＥｌｅｃｔｒｏＭａｇｎｅｔｉｃ  Ｉｎｔｅｒｆｅｒｅｎｃｅ）の防止のためのケージ及びアーム−コネクタを通じて光送受信システムと機械的及び電気的に結合される。
【０００６】
光送受信モジュールを光送受信システムの本体に組立てるプラガブル方法は、従来にハンダ付けで固定して使用した光送受信モジュール形態に比べて試験測定及び故障時の交替などにおいて便利である。
【０００７】
また、プラガブル電気コネクタは、Ｇｂｐｓ級以上の高速信号の伝達において、既存のピン形態より構造的に有利である。
【０００８】
このようなた多くの理由によって、ＳＦＰ形態の光送受信モジュールは、大容量の高速動作が要求される伝達網だけでなく、大容量のストーリッジネットワーク及び高速化の趨勢にある加入者網にまでその使用領域が広がっている。
【０００９】
ＳＦＰＭＳＡは、製作者及びユーザに関係なく、相互互換性を有するように光送受信モジュール及び光送受信システムの本体に装着されるためのケージアセンブリ及び電気コネクタに対して共通で遵守されねばならない機械的、電気的規格を定義する。
【００１０】
しかし、共通規格以外のものは、すべて製作者によって決定されることによって、同じＳＦＰ形態の光送受信モジュールであっても、製品によってそれぞれ異なる特性及び長短所を有する。特に、光送受信モジュールをケージアセンブリから用意に分離するための脱着方法及びケージの製作組立方法などに対する差別性を有する多様な特許が２０００年９月１４日ＳＦＰ  ＭＳＡの協定以後に持続的に出願及び登録されている。
【００１１】
また、ＳＦＰ光送受信モジュールは、外部との送受信インターフェースのために、ＬＣ、ＳＣ、ＭＴ−ＲＪ、ＢＮＣ／ＴＮＣ、光ファイバチャンネルのような多様な種類の光ファイバコネクタまたは光ファイバピグテールのような方法で連結されうる。
【００１２】
これは、ＳＦＰＭＳＡが多様な応用分野の光送受信素子に使用されうる重要な部分である。また、内部的には、多様な形態の光送受信モジュール及び駆動回路ボードの組合わせで構成されうる。したがって、一般的に内部に含まれる部品の構造及びコネクタの形態によって、種類別に異なるＳＦＰパッケージが製作されて使用される。
【発明の開示】
【発明が解決しようとする課題】
【００１３】
本発明は、光送受信システム本体のレセプタクルにプラガブル光送受信モジュールを装着及び脱着可能にするためのＳＦＰパッケージのプラガブル光送受信モジュールを提供する。
【００１４】
そして、本発明は、光送受信システム本体のレセプタクルにプラガブル光送受信モジュールを装着するとき、電気的な連結の確実性及び、装着後に光送受信動作の状態をＬＥＤを通じて可視的に表示できるＳＦＰパッケージのプラガブル光送受信モジュールを提供する。
【００１５】
また、本発明は、多様な形態の光ファイバコネクタ及び光素者部品を収容するに当って、パッケージ部品の追加的な製作を最小化できるハウジングフレームを有するＳＦＰパッケージのプラガブル光送受信モジュールを提供する。
【課題を解決するための手段】
【００１６】
前記技術的課題を解決するための本発明のプラガブル光送受信モジュールは、一端がクランプからなる光送受信システム本体のレセプタクルの内部に摺動されて脱着または装着されるプラガブル光送受信モジュールであって、光送受信素子を装着するアダプタを有するハウジングフレームと、前記ハウジングフレームの一側を中心として所定角度ほど回転可能に、一端には取手部が形成されており、他端には加圧部が形成されている回転レバーと、前記回転レバーにより連動されて回転運動できるように前記ハウジングフレームにピボッティングされたものであって、前記回転レバーの回転状態によって、前記加圧部と接触できる一端と、これによる回転運動により前記レセプタクルのクランプから装着または脱着される他端とから形成された弾性アーム部材と、を備えることを特徴とする。
【００１７】
また、前記技術的課題を解決するための本発明のプラガブル光送受信モジュールは、光送受信システム本体に脱着または装着されるプラガブル光送受信モジュールであって、光送受信素子が装着されるアダプタを有するハウジングフレームと、前記光送受信素子の動作を制御する駆動回路ボードと、前記光送受信システム本体の端子と前記駆動回路ボードの結合状態を表示する表示部材と、を備えることを特徴とする。
【発明の効果】
【００１８】
本発明は、プラガブル光送受信モジュールに係り、次のような効果がある。
【００１９】
本発明は、プラガブル光送受信モジュールと関連し、レセプタクルからモジュールを用意に脱着するための方法であって、弾性アーム部材及び回転レバーを有するプラガブル光送受信モジュールを提供する。
【００２０】
そして、本発明は、多数の光送受信モジュールが装着される光加入者網（Ｆｉｂｅｒ−Ｔｏ−Ｔｈｅ−Ｈｏｍｅ：ＦＴＴＨ）システムで効果的に使用されうるプラガブル両方向光送受信モジュールの形態であり、光送受信モジュール内に、ＬＥＤ表示器を含む組立構造及び動作方法を提供して、システムボードのレセプタクルにプラガブル光送受信モジュールを締結するとき、電源連結の異常有無を可視的に確認して、かたい締結を可能にし、動作時には光送受信機能の状態を表示させる。
【００２１】
また、多様な種類の光ファイバコネクタ及び多様な形態の光素子部品を収容するために、分離組立型のハウジングフレーム構造を提供できる。
【００２２】
このように、家庭にまで光通信が直接連結される光加入者網のためのＰＯＮ（Ｐａｓｓｉｖｅ  Ｏｐｔｉｃａｌ  Ｎｅｔｗｏｒｋ）システム及び端末機の場合は、全体的に多数の両方向光送受信モジュールが使用されるので、光送受信システム及び端末機の駆動ボードにプラガブル形態に交替可能でありながらも、かたく結合されうる機能を有するプラガブル光送受信モジュールを使用することによって、通信網とシステムの効率的かつ経済的な維持補修が可能である。
【発明を実施するための最良の形態】
【００２３】
以下で、添付された図面を参照して本発明の望ましい実施形態について詳細に説明する。
【００２４】
図１は、本発明の望ましい一実施形態に係るプラガブル光送受信モジュールの展開図である。プラガブル光送受信モジュール１００は、光送受信システム本体のレセプタクルに装着または脱着可能であり、光入出力端７１を有する光送受信モジュールを示す。
【００２５】
図１に示すように、本発明に係るプラガブル光送受信モジュール１００は、回転レバー１０、弾性アーム部材２０、ハウジングフレーム３０、表示部材６０、光送受信素子７０、駆動回路ボード８０及びカバー部材９０を備えて構成される。
【００２６】
回転レバー１０及び弾性アーム部材２０は、ハウジングフレーム３０に組立てられ 、その上に表示部材６０、光送受信素子７０及び駆動回路ボード８０がカバー部材９０と共に組立てられて固定される。
【００２７】
カバー部材９０の一側面に形成されている第１溝９１及び第２溝９２は、外側に突出した形態のハウジングフレーム３０の第１ラッチ３５及び第２ラッチ３７とそれぞれ結合してハウジングフレーム３０及びカバー部材９０をかたく組立てる。
【００２８】
また、カバー部材９０の一側面に形成されている第３溝９３及び第４溝９４は、内側に突出した形態でハウジングフレーム３０及びカバー部材９０が締結されるとき、駆動回路ボード８０のエッジを押さえて駆動回路ボード８０を固定させる役割を行う。
【００２９】
カバー部材９０の前側の上端部９６は、ハウジングフレーム３０の前側の上端部３９に密着されて組立てられる。そして、カバー部材９０の前側の下端部に位置したチャック９５は、ハウジングフレーム３０を係止させて、上下に動かないようにする。また、係止板９７、９８、９９は、光送受信システム本体のレセプタクルとの装着時に係止する役割を行う。
【００３０】
図１で、参照番号は省略されているが、カバー部材９０の一側面の反対側、すなわち、他側面にも第１溝９１、第２溝９２、第３溝９３及び第４溝９４と対応する溝が 形成されている。
【００３１】
回転レバー１０の一側面に形成されている第１溝１１は、ハウジングフレーム３０の一側面に形成されている第１突起３３と結合されて回転軸として作用し、回転レバー１０の他側面に形成されている第２溝１２は、ハウジングフレーム３０の第１突起３３が形成されている反対面、すなわち、他側面に形成されている突起（図示せず）と結合されて回転軸として作用する。
【００３２】
回転レバー１０の一側面に形成されている第３溝１３は、ハウジングフレーム３０の一側面に形成されている第２突起３４と結合されて、必要の場合、回転レバー１０を固定させ、回転レバー１０の他側面に形成されている第４溝１４は、ハウジングフレーム３０の第２突起３４が形成されている反対面、すなわち、他側面に形成されている突起（図示せず）と結合されて、必要の場合、回転レバー１０を固定させうる。ここで、第２突起３４及びこれに対応する他側面に形成されている突起（図示せず）は、半球形の突起に形成されて、回転レバー１０をハウジングフレーム３０から回転させようとするとき、最初の脱着を容易にする。
【００３３】
回転レバー１０の上端面には、ユーザによって所定角度ほど回転させる取手部１５が形成されており、下端面には、弾性アーム部材２０を加圧できる加圧部１６が形成されている。
【００３４】
光送受信素子７０は、一つのパッケージ内に光送信器１１０及び光受信器２１０が集積されている。光送受信素子７０は、光入出力端７１を通じて光信号を送信または受信する。光送受信素子７０は、回路的に駆動回路ボード８０と連結されている。
【００３５】
表示部材６０は、光送受信システムの本体との結合状態と、光送信器１１０及び光受信器１２０の動作状態とを表示するためのものであって、表示窓６１、柱６２及び電気ピン６３からなっている。さらに具体的に、表示部材６０は、送信機能の感知のための光送信ＬＥＤと、受信機能の感知のための光受信ＬＥＤとを備えるＬＥＤアセンブリであって、マウントとして活用される柱６２、ＬＥＤが発光される表示窓６１及び駆動回路ボード８０と電気的に連結される電気ピン６３からなっている。
【００３６】
駆動回路ボード８０は、光送受信素子７０及び表示部材６０と連結され、光送受信素子７０及び表示部材６０のそれぞれを制御して、該当する動作を行う。
【００３７】
駆動回路ボード８０は、ハウジングフレーム３０の係止爪３６、３８に係止されるために、両側面のそれぞれに係止溝８１、８２があり、光送受信システムの本体と連結される電気コネクタ端子８３が形成されている。
【００３８】
ハウジングフレーム３０には、光送受信素子７０の光入出力端７１を収容し、 光ファイバコネクタを収容できる光ファイバアダプタ３２と、表示部材６０を収容できる表示部材アダプタ３１とが形成されている。
【００３９】
弾性アーム部材２０は、ハウジングフレーム３０の下面にピボッティングされる。弾性アーム部材２０がハウジングフレーム３０の下面にピボッティングされることに関しては、図２Ａまたは図２Ｂでさらに詳細に説明する。
【００４０】
図２Ａは、図１のプラガブル光送受信モジュールで、弾性アーム部材２０がハウジングフレーム３０にピボッティングされることを調べるために、下端から見た展開図の一例である。図２に示すように、プラガブル光送受信モジュール１００が光送受信システム本体のレセプタクルに装着または脱着機能を行うために、ハウジングフレーム３０の下端部、回転レバー１０及び弾性アーム部材２０を表す。
【００４１】
回転レバー１０の第１溝１１及び第２溝１２は、ハウジングフレーム３０の両側面に形成されている第１突起３３及び第３突起３３’にそれぞれ結合されて回転軸として作用する。ここで、第２突起３３’は、第１突起３３の他側面に形成されており、第１突起３３と同じ機能を行う突起である。
【００４２】
回転レバー１０の第３溝１３及び第４溝１４は、ハウジングフレーム３０の両側面に形成されている第２突起３４及び第４突起３４’にそれぞれ結合されて、プラガブル光送受信モジュール１００が光送受信システム本体のレセプタクルに装着された状態で回転レバー１０をハウジングフレーム３０に固定させる。ここで、第４突起３４’は、第２突起３４の他側面に形成されており、第２突起３４と同じ機能を行う突起である。
【００４３】
弾性アーム部材２０は、回転レバー１０により連動されて回転運動できるようにハウジングフレーム３０にピボッティングされたものであって、回転レバー１０の回転状態によって、加圧部１６と接触できる位置に一端が形成されており、これによる回転運動により光送受信システム本体のレセプタクルクランプから装着または脱着される他端が形成されている。
【００４４】
さらに具体的に、弾性アーム部材２０は、中央部に台型の弾性部が上向きに折り曲げられた形態の板スプリングから構成される。弾性アーム部材２０は、第１面２１、第２面２２、第３面２３、第１上向折り曲げ面２４及び第２上向き折り曲げ面２５からなる。
【００４５】
弾性アーム部材２０の第１面２１及び第２面２２は、ハウジングフレーム３０の下端面に接触し、第３面２３は、ハウジングフレーム３０の固定爪３１２に弱く密着組立てられる。
【００４６】
固定爪３１２は、弾性アーム部材２０の第３面２３と当接し、弾性アーム部材２０がハウジングフレーム３０に対して、プラガブル光送受信モジュール１００を光送受信システム本体のレセプタクルに対する摺動方向の上下方向に対して固定させてピボッティングさせる。そして、固定爪３１２は、プラガブル光送受信モジュール１００が光送受信システム本体のレセプタクルに装着される場合に、光送受信システム本体のレセプタクル進入部に係止させる役割を行う。
【００４７】
弾性アーム部材２０の第１面２１は、回転レバー１０が連結される位置に形成されているハウジングフレーム３０の溝３１１に密着されるように装着され、弾性アーム部材２０の第１上向き折り曲げ面２４は、回転レバー１０の加圧部１６と接触して加圧されうる位置に装着される。
【００４８】
弾性アーム部材２０は、ハウジングフレーム３０の下端面に対して、プラガブル光送受信モジュール１００が光送受信システム本体のレセプタクルに対する摺動方向の上下方向に対しては固定され、摺動方向の水平方向に対しては所定範囲ほど動けるように結合される。
【００４９】
ハウジングフレーム３０の溝３１１は、弾性アーム部材２０の第１面２１を収容させ、第１上向き折り曲げ面２４が回転レバー１０の加圧部１６により加圧される場合に一定の範囲で止めるようにＴ字状の溝を有している。
【００５０】
ハウジングフレーム３０の結合突起３１０は、光送受信システム本体のレセプタクルとの装着時に係止の役割を行う。結合突起３１０は、光送受信システム本体のレセプタクルと近い部分は、ハウジングフレーム３０の下端面との高さの差が小さく、光送受信システム本体のレセプタクルと離れている部分は、ハウジングフレーム３０の下端面との高さの差のある傾斜面に形成されており、 係止または解除が容易であるように形成されている。
【００５１】
図２Ｂは、図２Ａと異なる弾性アーム部材５０がハウジング フレーム３０にピボッティングされることを調べるために、下端から見た展開図の他の一例を示す図面である。図２Ｂに示すように、図２Ａで説明された弾性アーム部材２０の他の形態の弾性アーム部材５０であって、第１面５１、第３面５３、第１上向き折り曲げ面５４、第２上向き折り曲げ面５５及び第３上向き折り曲げ面５６からなる。
【００５２】
弾性アーム部材５０の第１面５１及び第１上向き折り曲げ面５５と第３上向き折り曲げ面５６とが交差される部分は、ハウジングフレーム３０の下端面に接触し、第３面５３は、ハウジングフレーム３０の固定爪３１２に弱く密着組み付けられる。そして、第２上向き折り曲げ面５５及び第３上向き折り曲げ面５６は、ハウジングフレーム３０に対してｖ状に構成されている。
【００５３】
回転レバー１０の回転によって、弾性アーム部材５０は結合突起３１０方向に移動しつつ、第３上向き折り曲げ面５６がレセプタクル５００のクランプ５０１を押し上げつつ、開口部５０２を結合突起３１０から分離する方法で脱着される。このとき、回転レバーによる弾性アーム部材５０の移動力と第３上向き折り曲げ面５６の弾性力とが結合される方法で動作する。前述した弾性アーム部材５０及び他の部分については図２Ａを参照する。
【００５４】
図３は、図１のプラガブル光送受信モジュールの結合図である。図３に示すように、回転レバー１０及び弾性アーム部材２０は、ハウジングフレーム３０に組立てられ、その上に表示部材６０、光送受信素子７０及び駆動回路ボード８０がカバー部材９０と共に組立てられて固定される。
【００５５】
図３で、カバー部材９０の第１溝９１及び第２溝９２が、ハウジングフレーム３０の第１ラッチ３５及び第２ラッチ３７とそれぞれ結合されている。
【００５６】
また、回転レバー１０がハウジングフレーム３０の第１突起３３及び第２突起３４に結合されている。
【００５７】
図４は、図１のプラガブル光送受信モジュールで、光送受信素子及び表示部材の動作を示す回路図である。図４に示すように、外部電気的インターフェース信号線と、光送信器１５０及び光受信器２５０の駆動回路とは、一般的な光送受信モジュールの動作方法と同じであり、電気的インターフェースのための信号線の機能及び名称は、ＳＦＰ−ＭＳＡで規定するピンの定義と同じである。
【００５８】
プラガブル光送受信モジュールで、光送信素子１１０から出る特定の波長を有する光送信信号は、ＷＤＭ１０２を通じて単一の光入出力端１０１に結合され、光入出力端１０１から入る他の波長を有する光受信信号は、ＷＤＭ  １０２を通じて光受信素子２１０に入り、一般的に光入出力端１０１は、単一の光ファイバピグテールまたは単一の光ファイバフェルールを有する光レセプタクルから構成される。
【００５９】
このような一般的な光送受信モジュールの機能及びプラガブル光送受信モジュールのための標準規格を阻害せずに、ＬＥＤ表示燈を光送受信モジュール内に含んで駆動状態を可視的に確認できる手段として使用する方法を説明する。
【００６０】
光送信器１５０の状態を表示するための光送信ＬＥＤ  １２０は、ＬＥＤドライバ１２１により駆動され、光送信器１５０を駆動するための電源Ｖｃｃ端子１１２及びグラウンド（ＧＮＤ）端子１１３に共に連結されて、光送信器１５０に電源が良好に供給されているかを可視的に表示する。
【００６１】
ここで、イネーブル端子１２３及び制御（ＣＴＲＬ）端子１２２を通じて他の選択的な機能が追加されうるが、入力される電圧の準位によって光送信ＬＥＤ  １２０をオン／オフさせうるイネーブル端子１２３は、光送信器１５０から出るＴｘ＿Ｆａｕｌｔ端子１１５に連結されて、電源に関係なく他のある障害によって光送信器１５０が駆動しない場合を表示するために使用されうる。
【００６２】
この場合には、電源が入力され、光送信器１５０の状態が正常な場合にＬＥＤがターンオンされる。制御端子１２２は、必要な場合、光送信器１５０の出力をシャットダウンさせるための光送受信モジュールのインプット信号であるＴｘ＿Ｄｉｓａｂｌｅ１１４にパルス発生回路と共に連結されて、ＬＥＤをパルス動作する方法などで光送信器１５０がイネーブル状態であることを表示するために使用されうる。
【００６３】
光送信器１５０と類似した方法であって、光受信器２５０の状態を表示するための光受信ＬＥＤ  ２２０は、光受信器２５０のための電源端子２１２及びグラウンド端子２１３に連結されて、光受信器２５０に電源が良好に供給されるかを可視的に表示する。
【００６４】
やはり、選択的な機能であって、制御端子２２２は、光受信器２５０の状態が正常な状態であるか否かを表すＲＸ＿ＬＯＳ端子２１５と連結されて、データが受信されている状態であるか否かを表示するために使用される。
【００６５】
また、単純に電源の供給如何のみを表示するための場合、ＬＥＤ  １２０は、ＬＥＤドライバ１２１なしに光送信器１５０を駆動するための電源Ｖｃｃ端子１１２及びグラウンド端子１１３に直接連結されて使用される。
【００６６】
光送信器１５０及び光受信器２５０に正常な電源が供給されているか否かを表示するＬＥＤの機能は、作業者をしてプラガブル光送受信モジュール１００を光送受信システム本体のレセプタクルに装着するときに電気的な接触不良などを直ちに確認して補正させるのに特に有効に使用できる機能である。
【００６７】
また、他の選択的な機能と共に正常な動作時に光送受信モジュールの動作状態を表示できる。図２は、二つの波長を使用する両方向光送受信モジュール（Ｂｉｄｉ−ＯＴＲｘ）の場合を例として、ＬＥＤ表示灯の使用方法を説明したが、前記のようなＬＥＤを利用した表示メカニズムは、二つの異なる光ファイバ入出力端を使用する一般的な光送受信モジュール、または三つの他の波長を使用するトリプレクサ形態の光送受信モジュールでも同様に適用されうる。
【００６８】
表示部材６０は、図４で表示した送信機能の感知のための送信ＬＥＤ  １２０と、受信機能の感知のための受信ＬＥＤ  ２２０とを備えるＬＥＤアセンブリであって、図１に示すように、マウントとして活用される柱６２の表示窓６１上にＳＭＤ形態に組立てられ、電気ピン６３を通じて駆動ボードに電気的に連結される。
【００６９】
類似しているが、さらに他の形態のＬＥＤ表示灯として、ＬＥＤが駆動回路ボード８０に搭載され、ＬＥＤ光は導波管として活用される柱６２を通じて、駆動ボードのＬＥＤ上から表示窓６１まで伝達される構造に変形して使用可能である。
【００７０】
図５は、本発明の望ましい他の一実施形態に係るプラガブル光送受信モジュールの結合図である。図５に示すように、プラガブル光送受信モジュール５００は、デュアルＬＣアダプタを有するハウジングフレーム３０’を有する。プラガブル光送受信モジュール５００は、残りの部分に対しては、図１または図３のプラガブル光送受信モジュール１００と同じであるが、ハウジングフレーム３０’が図１または図３のハウジングフレーム３０と異なる。
【００７１】
図５のプラガブル光送受信モジュール５００のハウジングフレーム３０’は、二つのＬＣアダプタを有するが、このうちいずれか一つのＬＣアダプタに表示部材６０’が装着される。表示部材６０’が四角形になっている。
【００７２】
前記のように、デュアルＬＣアダプタを有するハウジングフレーム３０’を開発して使用するメーカの場合に、新たなＳＦＰ光送受信モジュールのための別途の投資なしに従来の部品を使用することを所望するであろう。
【００７３】
このような場合に適切なサイズの光送受信素子７０を使用する場合、デュアルＬＣアダプタのどの一方は、光送受信素子７０の光入出力端７１のために使用し、他方は、表示部材６０’のための用途として使用する。
【００７４】
図６は、本発明の望ましい一実施形態に係るプラガブル光送受信モジュールが、本体に装着されているプラガブル光送受信モジュールの結合装置の装着図である。図６に示すように、弾性アーム部材２０と回転レバー１０とが組立てられたプラガブル光送受信モジュール１００が、光送受信システム本体のレセプタクル５００に装着された場合の下端部を示す。
【００７５】
光送受信システム本体のレセプタクル５００は、進入部にクランプ５０１が形成されており、クランプ５０１の中央部には、開口部５０２が形成されている。
【００７６】
プラガブル光送受信モジュール１００がレセプタクル５００に装着される場合に、開口部５０２は、結合突起３１０と一致する部分に結合突起３１０と同じ形状に形成されている。
【００７７】
クランプ５０１は、プラガブル光送受信モジュール１００の装着または脱着が容易であるように、レセプタクル５００の内部に一定部分傾斜して形成されている。
【００７８】
ハウジングフレーム３０の固定爪３１２は、レセプタクル５００の進入部と係止するように形成されており、プラガブル光送受信モジュール１００がレセプタクル５００の進入部と係止された以後に追加的に進入することを防止する。
【００７９】
図７は、図６のプラガブル光送受信モジュールが本体と脱着されているプラガブル光送受信結合装置の脱着図であり、図８は、図７での回転レバー及び弾性アーム部材の動作状態図である。図７及び図８に示すように、プラガブル光送受信モジュール１００が光送受信システム本体のレセプタクル５００から脱着された場合の下端部を示す。
【００８０】
プラガブル光送受信モジュール１００が光送受信システム本体のレセプタクル５００から脱着時に、回転レバー１０の加圧部１６は、弾性アーム部材２０の第１上向き折り曲げ面２４に接触して押し、弾性アーム部材２０の第１面２１は、ハウジングフレーム３０の溝３１１が許容する範囲内で前側に移動して係止され、弾性アーム部材２０は、図８に示すように、弾性変形されつつ、レセプタクル５００の開口部５０２を備えるクランプ５０１を押し上げて、ハウジングフレーム３０の結合突起３１０と分離されることによって、プラガブル光送受信モジュール１００を用意に脱着させる。
【００８１】
回転レバー２０に力を加えなければ、弾性アーム部材２０は本来の形状に戻る。
【００８２】
図９は、図１に適用されるハウジングフレームの一例を示す図面である。図９に示すように、図１及び図５で説明されたハウジングフレーム３０が、ハウジングベース４０と、シングルＬＣ光ファイバコネクタを収容するための光レセプタクル９００とに分離される。
【００８３】
シングルＬＣ光ファイバコネクタを収容するための光レセプタクル９００は、ハウジングベース４０の装着部４１に装着されうる。すなわち、他の光ファイバコネクタを収容するために、光レセプタクル９００を装着部４１から脱着し、他の光レセプタクルを装着部４１に装着して使用できる。
【００８４】
図１０は、図５に適用されるハウジングフレームの他の一例を示す図面である。図１０に示すように、図１０は、図５に示すハウジングフレーム３０からハウジングベース４０と、デュアルＬＣ光ファイバコネクタを収容するための光レセプタクル１０００とに分離されることを示す。
【００８５】
デュアルＬＣ光ファイバコネクタを収容するための光レセプタクル１０００は、ハウジングベース４０の装着部４１に装着されうる。すなわち、他の光ファイバコネクタを収容するために、光レセプタクル１０００を装着部４１から脱着し、他の光レセプタクルを装着部４１に装着して使用できる。
【００８６】
図１１は、図１及び図５に適用されるハウジングフレームの他の一例を示す図面である。図１１に示すように、図１及び図５に示すハウジングフレーム３０からハウジングベース４０と、ＳＣ光ファイバコネクタを収容するための光レセプタクル１１００とに分離される。
【００８７】
ＳＣ光ファイバコネクタを収容するための光レセプタクル１１００は、ハウジングベース４０の装着部４１に装着されうる。すなわち、他の光ファイバコネクタを収容するために、光レセプタクル１１００を装着部４１から脱着し、他の光レセプタクルを装着部４１に装着して使用できる。
【００８８】
図９ないし図１１では、図１及び図５で使用するハウジングフレーム３０に代えて、ハウジングベース４０及び光ファイバコネクタの種類によってそれぞれシングルＬＣ光ファイバコネクタを収容するための光レセプタクル９００、デュアルＬＣ光ファイバコネクタを収容するための光レセプタクル１０００、及びＳＣ光ファイバコネクタを収容するための光レセプタクル１１００を提案している。
【００８９】
図９ないし図１１では、３つの例を挙げて説明している。しかし、前記３つ以外にＭＴ−ＲＪ光ファイバコネクタ、ＢＮＣ／ＴＮＣ光ファイバコネクタ、光ファイバチャンネルのような多様な種類の光ファイバコネクタまたは光ファイバピグテールなどが連結されうる。
【００９０】
このように、多様な光ファイバコネクタの種類によって他の構造の光レセプタクルを装着するハウジングフレームを提供することによって、部品の追加的な製作を最小化し、かつ多様なプラガブル光送受信モジュールを開発できる。
【００９１】
以上のように、図面及び明細書で最適の実施形態が開示された。ここでは特定の用語が使用されたが、これは単に本発明を説明するための目的で使用されたものであり、意味限定や特許請求の範囲に記載された本発明の範囲を制限するために使用されたものではない。したがって、当業者ならば、これから多様な変形及び均等な他の実施形態が可能であるという点が理解できるであろう。したがって、本発明の真の技術的な保護範囲は、特許請求の範囲の技術的な思想によって決まらねばならない。
【産業上の利用可能性】
【００９２】
本発明は、光送受信モジュールに関連した技術分野に好適に適用され得る。
【図面の簡単な説明】
【００９３】
【図１】本発明の望ましい一実施形態に係るプラガブル光送受信モジュールの展開図である。
【図２Ａ】図１のプラガブル光送受信モジュールで弾性アーム部材２０がハウジングフレーム３０にピボッティングされることを調べるために、下端から見た展開図 である。
【図２Ｂ】図２Ａと異なる弾性アーム部材５０がハウジングフレーム３０にピボッティングされることを調べるために、下端から見た展開図である。
【図３】図１のプラガブル光送受信モジュールの結合図である。
【図４】図１のプラガブル光送受信モジュールで光送受信素子及び表示部材の動作を示す回路図である。
【図５】本発明の望ましい他の一実施形態に係るプラガブル光送受信モジュールの結合図である。
【図６】本発明の望ましい一実施形態に係るプラガブル光送受信モジュールが、本体に装着されているプラガブル光送受信モジュールの結合装置の装着図である。
【図７】図６のプラガブル光送受信モジュールが本体と脱着されているプラガブル光送受信結合装置の脱着図である。
【図８】図７で回転レバー及び弾性アーム部材の動作状態図である。
【図９】図１及び図５に適用されるハウジングフレームの一例を示す図面である。
【図１０】図１及び図５に適用されるハウジングフレームの他の例を示す図面である。
【図１１】図１及び図５に適用されるハウジングフレームのさらに他の一例を示す図面である。
【符号の説明】
【００９４】
１０  回転レバー
１１  第１溝
１２  第２溝
１３  第３溝
１４  第４溝
１５  取手部
１６  加圧部
２０  弾性アーム部材
３０  ハウジングフレーム
３１  表示部材アダプタ
３２  光ファイバアダプタ
３３  第１突起
３４  第２突起
３５  第１ラッチ
３６、３８  係止爪
３７  第２ラッチ
３９  上端部
６０  表示部材
６１  表示窓 
６２  柱
６３  電気ピン
７０  光送受信素子
７１  光入出力端
８０  駆動回路ボード
８１、８２  係止溝
８３  電気コネクタ端子
９０  カバー部材
９１  第１溝
９２  第２溝
９３  第３溝
９４  第４溝
９５  チャック
９６  上端部
９７、９８、９９  係止板
１００  プラガブル光送受信モジュール
１１０  光送信器
２１０  光受信器
【図１】
0004397924.tif 000002
【図２Ａ】
0004397924.tif 000003
【図２Ｂ】
0004397924.tif 000004
【図３】
0004397924.tif 000005
【図４】
0004397924.tif 000006
【図５】
0004397924.tif 000007
【図６】
0004397924.tif 000008
【図７】
0004397924.tif 000009
【図８】
0004397924.tif 000010
【図９】
0004397924.tif 000011
【図１０】
0004397924.tif 000012
【図１１】
0004397924.tif 000013